【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
ユーザ装置と、
前記ユーザ装置とに確立される論理経路である制御プレーン経路を介して制御メッセージを送受信可能な第１基地局および第２基地局と、
前記ユーザ装置に対する制御プレーン経路を有さない第３基地局と
を含む複数の基地局と、
ゲートウェイ装置と、
論理経路を制御する交換局と
を備え、
前記第１基地局と前記ユーザ装置とに第１制御プレーン経路が確立され、前記第３基地局を経由して前記ユーザ装置と前記ゲートウェイ装置とにユーザプレーン経路が確立されている場合に、
前記第１基地局は、
前記ユーザ装置を、無線接続中の当該第１基地局から前記第２基地局にハンドオーバさせるべきか否かを判定する判定部と、
前記判定部がハンドオーバさせるべきと判定した場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信する基地局制御部とを備え、
前記第２基地局は、
前記第１基地局から受信した前記第３基地局の前記識別子を記憶する記憶部と、
前記第１基地局から前記ハンドオーバ要求メッセージを受信するのに応じて、ハンドオーバ応答メッセージを前記第１基地局に送信する基地局制御部とを備え、
前記第１基地局は、さらに
前記第２基地局から前記ハンドオーバ応答メッセージを受信した後に、前記第２基地局と前記ユーザ装置とに第２制御プレーン経路を確立することを指示する無線接続再設定メッセージを前記ユーザ装置に送信する無線制御部を備え、
前記ユーザ装置は、
受信した前記無線接続再設定メッセージに従って、前記第２制御プレーン経路を確立するように当該ユーザ装置を設定する無線設定部と、
前記設定後に、無線接続再設定完了メッセージを前記第２基地局に送信する送信部とを備え、
前記第２基地局の前記基地局制御部は、
前記ユーザ装置から前記無線接続再設定完了メッセージを受信した後に、当該第２基地局の前記記憶部に記憶される前記識別子が示す前記第３基地局に対し、前記ユーザ装置の無線接続先が前記第１基地局から前記第２基地局に変更されたことを示す基地局変更通知メッセージを送信し、
前記第３基地局は、
前記第２基地局から前記基地局変更通知メッセージを受信するのに応じて、基地局変更応答メッセージを前記第２基地局に送信する基地局制御部を備える
無線通信システム。
【請求項２】
前記基地局変更通知メッセージは、前記ユーザ装置を識別する識別子および前記第２基地局を識別する識別子を含む
請求項１の無線通信システム。
【請求項３】
前記第２基地局は、
前記ユーザ装置から前記無線接続再設定完了メッセージを受信するのに応じて、前記ユーザ装置と当該第２基地局とに前記第２制御プレーン経路が確立されていることを示す経路変更メッセージを前記交換局に送信する経路制御部を備え、
前記交換局は、
前記経路変更メッセージを受信した後に、経路変更応答メッセージを前記第２基地局に送信する経路制御部を備え、
前記第２基地局の前記基地局制御部は、前記交換局から前記経路変更応答メッセージを受信するのに応じて、当該第２基地局の前記記憶部に記憶される前記識別子が示す前記第３基地局に対し、前記基地局変更通知メッセージを送信する
請求項２の無線通信システム。
【請求項４】
前記第２基地局の前記基地局制御部は、
前記ユーザ装置から前記無線接続再設定完了メッセージを受信するのに応じて、当該第２基地局の前記記憶部に記憶される前記識別子が示す第３基地局に対し、前記基地局変更通知メッセージを送信し、
前記第３基地局の前記基地局制御部は、
前記第２基地局から前記基地局変更通知メッセージを受信するのに応じて、基地局変更応答メッセージを前記第２基地局に送信し、
前記第２基地局は、
前記第３基地局から前記基地局変更応答メッセージを受信するのに応じて、前記ユーザ装置と当該第２基地局とに前記第２制御プレーン経路が確立されていることを示す経路変更メッセージを前記交換局に送信する経路制御部を備え、
前記交換局は、
前記経路変更メッセージを受信した後に、経路変更応答メッセージを前記第２基地局に送信する経路制御部を備える
請求項２の無線通信システム。
【請求項５】
前記第１基地局は、
当該第１基地局の前記無線通信部が前記無線接続再設定メッセージを前記ユーザ装置に送信した後であって、前記第３基地局から当該ユーザ装置に関する制御メッセージを受信した場合に、
当該制御メッセージを前記第２基地局に転送する転送部を備える
請求項３または請求項４の無線通信システム。
【請求項６】
前記第１基地局は、
当該第１基地局の前記無線通信部が前記無線接続再設定メッセージを前記ユーザ装置に送信した後であって、前記第３基地局から当該ユーザ装置に関する制御メッセージを受信した場合に、
前記第２基地局に前記制御メッセージを送信することを指示するリダイレクトメッセージに、前記第２基地局を示す識別子を搭載して、前記第３基地局に送信するリダイレクト部を備える
請求項３または請求項４の無線通信システム。
【請求項７】
前記ユーザ装置に対する制御プレーン経路を有さず、前記第３基地局と協調して前記ユーザ装置と無線通信を実行可能な第４基地局をさらに備え、
前記第２基地局の前記基地局制御部は、
前記ユーザ装置から前記無線接続再設定完了メッセージを受信した後に、前記ユーザ装置の無線接続先が前記第１基地局から前記第２基地局に変更されたことを示す基地局変更通知メッセージを前記第４基地局に送信する
請求項３または請求項４の無線通信システム。
【請求項８】
前記ユーザ装置に対する制御プレーン経路を有さず、前記第３基地局と協調して前記ユーザ装置と無線通信を実行可能な第４基地局をさらに備え、
前記第３基地局の前記基地局制御部は、
前記第２基地局から前記基地局変更通知メッセージを受信するのに応じて、当該基地局変更通知メッセージを前記第４基地局に送信する
請求項３または請求項４の無線通信システム。
【請求項９】
ユーザ装置と、
前記ユーザ装置とに確立される論理経路である制御プレーン経路を介して制御メッセージを送受信可能な第１基地局および第２基地局と、
前記ユーザ装置に対する制御プレーン経路を有さない第３基地局と
を含む複数の基地局と、
ゲートウェイ装置と、
論理経路を制御する交換局と
を備え、
前記第１基地局と前記ユーザ装置とに第１制御プレーン経路が確立され、前記第３基地局を経由して前記ユーザ装置と前記ゲートウェイ装置とにユーザプレーン経路が確立されている場合に、
前記第１基地局は、
前記ユーザ装置を、無線接続中の当該第１基地局から前記第２基地局にハンドオーバさせるべきか否かを判定する判定部と、
前記判定部がハンドオーバさせるべきと判定した場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信する基地局制御部とを備え、
前記第２基地局は、
前記第１基地局から受信した前記第３基地局の前記識別子を記憶する記憶部と、
前記第１基地局から前記ハンドオーバ要求メッセージを受信するのに応じて、ハンドオーバ応答メッセージを前記第１基地局に送信し、
前記識別子が示す前記第３基地局に対し、前記ユーザ装置の無線接続先が前記第１基地局から前記第２基地局に変更されることを示す基地局変更通知メッセージを送信する
基地局制御部とを備え、
前記第３基地局は、
前記第２基地局から前記基地局変更通知メッセージを受信するのに応じて、基地局変更応答メッセージを前記第２基地局に送信する基地局制御部を備え、
前記第１基地局は、さらに
前記第２基地局から前記ハンドオーバ応答メッセージを受信した後に、前記第２基地局と前記ユーザ装置とに第２制御プレーン経路を確立することを指示する無線接続再設定メッセージを前記ユーザ装置に送信する無線制御部を備え、
前記ユーザ装置は、
受信した前記無線接続再設定メッセージに従って、前記第２制御プレーン経路を確立するように当該ユーザ装置を設定する無線設定部と、
前記設定後に、無線接続再設定完了メッセージを前記第２基地局に送信する送信部とを備える
無線通信システム。
【請求項１０】
ユーザ装置と、
前記ユーザ装置とに確立される論理経路である制御プレーン経路を介して制御メッセージを送受信可能な第１基地局および第２基地局と、
前記ユーザ装置に対する制御プレーン経路を有さない第３基地局と
を含む複数の基地局と、
ゲートウェイ装置と、
論理経路を制御する交換局と
を備え、
前記第１基地局と前記ユーザ装置とに第１制御プレーン経路が確立され、前記第３基地局を経由して前記ユーザ装置と前記ゲートウェイ装置とにユーザプレーン経路が確立されている場合に、
前記第１基地局は、
前記ユーザ装置を、無線接続中の当該第１基地局から前記第２基地局にハンドオーバさせるべきか否かを判定する判定部と、
前記判定部がハンドオーバさせるべきと判定した場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信する基地局制御部とを備え、
前記第２基地局は、
前記第１基地局から受信した前記第３基地局の前記識別子を記憶する記憶部と、
前記第１基地局から前記ハンドオーバ要求メッセージを受信するのに応じて、ハンドオーバ応答メッセージを前記第１基地局に送信する基地局制御部とを備え、
前記第１基地局の前記基地局制御部は、
前記第２基地局から前記ハンドオーバ応答メッセージを受信するのに応じて、前記ユーザ装置の無線接続先が前記第１基地局から前記第２基地局に変更されることを示す基地局変更通知メッセージを前記第３基地局に送信し、
前記第３基地局は、
前記第１基地局から前記基地局変更通知メッセージを受信するのに応じて、基地局変更応答メッセージを前記第１基地局に送信する基地局制御部を備え、
前記第１基地局は、さらに
前記第３基地局から前記基地局変更応答メッセージを受信した後に、前記第２基地局と前記ユーザ装置とに第２制御プレーン経路を確立することを指示する無線接続再設定メッセージを前記ユーザ装置に送信する無線制御部を備え、
前記ユーザ装置は、
受信した前記無線接続再設定メッセージに従って、前記第２制御プレーン経路を確立するように当該ユーザ装置を設定する無線設定部と、
前記設定後に、無線接続再設定完了メッセージを前記第２基地局に送信する送信部とを備える
無線通信システム。
【請求項１１】
ユーザ装置と、
前記ユーザ装置とに確立される論理経路である制御プレーン経路を介して制御メッセージを送受信可能な第１基地局および第２基地局と、
前記ユーザ装置に対する制御プレーン経路を有さない第３基地局と
を含む複数の基地局と、
ゲートウェイ装置と、
論理経路を制御する交換局と
を備える無線通信システムにおける通信制御方法であって、
前記第１基地局と前記ユーザ装置とに第１制御プレーン経路が確立され、前記第３基地局を経由して前記ユーザ装置と前記ゲートウェイ装置とにユーザプレーン経路が確立されている場合に、
前記第１基地局において、
前記ユーザ装置を、無線接続中の当該第１基地局から前記第２基地局にハンドオーバさせるべきか否かを判定することと、
ハンドオーバさせるべきと判定された場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信することと、
前記第２基地局において、
前記第１基地局から受信した前記第３基地局の前記識別子を記憶することと、
前記第１基地局から前記ハンドオーバ要求メッセージを受信するのに応じて、ハンドオーバ応答メッセージを前記第１基地局に送信することと、
前記第１基地局において、
前記第２基地局から前記ハンドオーバ応答メッセージを受信した後に、前記第２基地局と前記ユーザ装置とに第２制御プレーン経路を確立することを指示する無線接続再設定メッセージを前記ユーザ装置に送信することと、
前記ユーザ装置において、
受信した前記無線接続再設定メッセージに従って、前記第２制御プレーン経路を確立するように当該ユーザ装置を設定することと、
前記設定後に、無線接続再設定完了メッセージを前記第２基地局に送信することと、
前記第２基地局において、
前記ユーザ装置から前記無線接続再設定完了メッセージを受信した後に、当該第２基地局に記憶される前記識別子が示す前記第３基地局に対し、前記ユーザ装置の無線接続先が前記第１基地局から前記第２基地局に変更されたことを示す基地局変更通知メッセージを送信することと、
前記第３基地局において、
前記第２基地局から前記基地局変更通知メッセージを受信するのに応じて、基地局変更応答メッセージを前記第２基地局に送信することとを備える
通信制御方法。
【請求項１２】
ユーザ装置と、
前記ユーザ装置とに確立される論理経路である制御プレーン経路を介して制御メッセージを送受信可能な第１基地局および第２基地局と、
前記ユーザ装置に対する制御プレーン経路を有さない第３基地局と
を含む複数の基地局と、
ゲートウェイ装置と、
論理経路を制御する交換局と
を備える無線通信システムにおける通信制御方法であって、
前記第１基地局と前記ユーザ装置とに第１制御プレーン経路が確立され、前記第３基地局を経由して前記ユーザ装置と前記ゲートウェイ装置とにユーザプレーン経路が確立されている場合に、
前記第１基地局において、
前記ユーザ装置を、無線接続中の当該第１基地局から前記第２基地局にハンドオーバさせるべきか否かを判定することと、
ハンドオーバさせるべきと判定された場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信することと、
前記第２基地局において、
前記第１基地局から受信した前記第３基地局の前記識別子を記憶することと、
前記第１基地局から前記ハンドオーバ要求メッセージを受信するのに応じて、ハンドオーバ応答メッセージを前記第１基地局に送信することと、
前記識別子が示す前記第３基地局に対し、前記ユーザ装置の無線接続先が前記第１基地局から前記第２基地局に変更されることを示す基地局変更通知メッセージを送信することと、
前記第３基地局において、
前記第２基地局から前記基地局変更通知メッセージを受信するのに応じて、基地局変更応答メッセージを前記第２基地局に送信することと、
前記第１基地局において、
前記第２基地局から前記ハンドオーバ応答メッセージを受信した後に、前記第２基地局と前記ユーザ装置とに第２制御プレーン経路を確立することを指示する無線接続再設定メッセージを前記ユーザ装置に送信することと、
前記ユーザ装置において、
受信した前記無線接続再設定メッセージに従って、前記第２制御プレーン経路を確立するように当該ユーザ装置を設定することと、
前記設定後に、無線接続再設定完了メッセージを前記第２基地局に送信することとを備える
通信制御方法。
【請求項１３】
ユーザ装置と、
前記ユーザ装置とに確立される論理経路である制御プレーン経路を介して制御メッセージを送受信可能な第１基地局および第２基地局と、
前記ユーザ装置に対する制御プレーン経路を有さない第３基地局と
を含む複数の基地局と、
ゲートウェイ装置と、
論理経路を制御する交換局と
を備える無線通信システムにおける通信制御方法であって、
前記第１基地局と前記ユーザ装置とに第１制御プレーン経路が確立され、前記第３基地局を経由して前記ユーザ装置と前記ゲートウェイ装置とにユーザプレーン経路が確立されている場合に、
前記第１基地局において、
前記ユーザ装置を、無線接続中の当該第１基地局から前記第２基地局にハンドオーバさせるべきか否かを判定することと、
ハンドオーバさせるべきと判定された場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信することと、
前記第２基地局において、
前記第１基地局から受信した前記第３基地局の前記識別子を記憶することと、
前記第１基地局から前記ハンドオーバ要求メッセージを受信するのに応じて、ハンドオーバ応答メッセージを前記第１基地局に送信することと、
前記第１基地局において、
前記第２基地局から前記ハンドオーバ応答メッセージを受信するのに応じて、前記ユーザ装置の無線接続先が前記第１基地局から前記第２基地局に変更されることを示す基地局変更通知メッセージを前記第３基地局に送信することと、
前記第３基地局において、
前記第１基地局から前記基地局変更通知メッセージを受信するのに応じて、基地局変更応答メッセージを前記第１基地局に送信することと、
前記第１基地局において
前記第３基地局から前記基地局変更応答メッセージを受信した後に、前記第２基地局と前記ユーザ装置とに第２制御プレーン経路を確立することを指示する無線接続再設定メッセージを前記ユーザ装置に送信することと、
前記ユーザ装置において、
受信した前記無線接続再設定メッセージに従って、前記第２制御プレーン経路を確立するように当該ユーザ装置を設定することと、
前記設定後に、無線接続再設定完了メッセージを前記第２基地局に送信することとを備える
通信制御方法。
【手続補正２】
【補正対象書類名】明細書
【補正対象項目名】００１８
【補正方法】変更
【補正の内容】
【００１８】
本発明の他の無線通信システムは、前記ユーザ装置とに確立される論理経路である制御プレーン経路を介して制御メッセージを送受信可能な第１基地局および第２基地局と、前記ユーザ装置に対する制御プレーン経路を有さない第３基地局とを含む複数の基地局と、ゲートウェイ装置と、論理経路を制御する交換局とを備え、前記第１基地局と前記ユーザ装置とに第１制御プレーン経路が確立され、前記第３基地局を経由して前記ユーザ装置と前記ゲートウェイ装置とにユーザプレーン経路が確立されている場合に、前記第１基地局は、前記ユーザ装置を、無線接続中の当該第１基地局から前記第２基地局にハンドオーバさせるべきか否かを判定する判定部と、前記判定部がハンドオーバさせるべきと判定した場合に、前記ユーザ装置を前記第２基地局にハンドオーバさせることを要求するハンドオーバ要求メッセージに、前記ユーザプレーン経路が経由する前記第３基地局の識別子を搭載して、前記第２基地局に送信する基地局制御部とを備え、前記第２基地局は、前記第１基地局から受信した前記第３基地局の前記識別子を記憶する記憶部と、前記第１基地局から前記ハンドオーバ要求メッセージを受信するのに応じて、ハンドオーバ応答メッセージを前記第１基地局に送信する基地局制御部とを備え、前記第１基地局の前記基地局制御部は、前記第２基地局から前記ハンドオーバ応答メッセージを受信するのに応じて、前記ユーザ装置の無線接続先が前記第１基地局から前記第２基地局に変更されることを示す基地局変更通知メッセージを前記第３基地局に送信し、前記第３基地局は、前記第１基地局から前記基地局変更通知メッセージを受信するのに応じて、基地局変更応答メッセージを前記第１基地局に送信する基地局制御部を備え、前記第１基地局は、さらに前記第３基地局から前記基地局変更応答メッセージを受信した後に、前記第２基地局と前記ユーザ装置とに第２制御プレーン経路を確立することを指示する無線接続再設定メッセージを前記ユーザ装置に送信する無線制御部を備え、前記ユーザ装置は、受信した前記無線接続再設定メッセージに従って、前記第２制御プレーン経路を確立するように当該ユーザ装置を設定する無線設定部と、前記設定後に、無線接続再設定完了メッセージを前記第２基地局に送信する送信部とを備える。
【手続補正３】
【補正対象書類名】明細書
【補正対象項目名】００２４
【補正方法】変更
【補正の内容】
【００２４】
ユーザ装置ＵＥは、第１基地局ｅＮＢ１、第２基地局ｅＮＢ２、および第３基地局ＰｈＮＢと無線通信することが可能である。ユーザ装置ＵＥと各基地局（ｅＮＢ，ＰｈＮＢ）との無線通信の方式は任意である。例えば、下りリンクではＯＦＤＭＡ（Orthogonal Frequency Division Multiple Access）が採用され得、上りリンクではＳＣ−ＦＤＭＡ（Single-Carrier Frequency Division Multiple Access）が採用され得る。なお、第１基地局ｅＮＢ１が用いる無線通信の方式と、第３基地局ＰｈＮＢが用いる無線通信の方式が異なる構成も採用可能である。
【手続補正４】
【補正対象書類名】明細書
【補正対象項目名】００３２
【補正方法】変更
【補正の内容】
【００３２】
本実施形態の無線通信システムＣＳでは、ユーザ装置ＵＥに対して、互いに異なる基地局を経由してＣプレーン経路およびＵプレーン経路を設定すること、すなわち、ＣプレーンとＵプレーンとを分離すること（Ｃ／Ｕ分離）が可能である。図２は、第１基地局ｅＮＢ１を経由してユーザ装置ＵＥと交換局ＭＭＥとにＣプレーン経路が確立され、第３基地局ＰｈＮＢを経由してユーザ装置ＵＥとゲートウェイ装置ＧＷとにＵプレーン経路が確立されている状態を示す。
【手続補正５】
【補正対象書類名】明細書
【補正対象項目名】００６１
【補正方法】変更
【補正の内容】
【００６１】
制御部２３０は、判定部２３２と基地局制御部２３４と無線制御部２３６と経路制御部２３８とデータ送受信部２４０とを備える。判定部２３２は、例えばユーザ装置ＵＥからのMeasurement Reportメッセージに基づいて、ユーザ装置ＵＥをハンドオーバさせるべきか否かを判定する要素であり、判定結果を示す信号を基地局制御部２３４に供給する。基地局制御部２３４は、他の基地局（ｅＮＢ，ＰｈＮＢ）と制御メッセージ（Handover Requestメッセージ、eNB Handover Notificationメッセージ等）を送受信する要素であり、ネットワーク通信部２２０を介して他の基地局（ｅＮＢ，ＰｈＮＢ）と通信する。無線制御部２３６は、ユーザ装置ＵＥとの無線通信を制御する要素であり、無線通信部２１０を介してユーザ装置ＵＥと制御メッセージ（RRC Connection Reconfigurationメッセージ等）を送受信する。経路制御部２３８は、通信経路（Ｃプレーン経路、Ｕプレーン経路）に関する制御メッセージ（Path Switch Requestメッセージ等）を送受信する要素であり、ネットワーク通信部２２０を介して交換局ＭＭＥと通信する。以上のように、判定部２３２、基地局制御部２３４、および経路制御部２３８はＣプレーン上の通信を実行する。データ送受信部２４０は、無線通信部２１０を介してユーザ装置ＵＥとユーザ信号を送受信（中継）すると共に、ネットワーク通信部２２０を介してゲートウェイ装置ＧＷとユーザ信号を送受信（中継）する。すなわち、データ送受信部２４０はＵプレーン上の通信を実行する。